(57)【特許請求の範囲】
【請求項１】
構造物における隅肉溶接部又はエッジ部の被塗面にストライプコート塗装を行うためのストライプコート塗装装置であって、
前記ストライプコート塗装の塗料を所定の圧力で供給する塗料ポンプと、
前記塗料ポンプから供給する塗料の噴射を制御するガン部と、
前記ガン部の操作で塗料を噴射する塗料噴射ノズルと、を備え、
前記塗料噴射ノズルは、噴射する塗料の広がりに沿って広がるスプレーガイドを有し、
前記スプレーガイドは、２枚のガイドプレートを有し、該２枚のガイドプレートは、前記塗料噴射ノズルの塗料噴射方向を挟んで対向するように設けられるとともに、前記隅肉溶接部又はエッジ部の被塗面を形成する２面に接触させて移動させることにより被塗面とノズル先端部との距離を一定に保つように構成されていることを特徴とするストライプコート塗装装置。
【請求項２】
前記スプレーガイドは、隅肉溶接部における被塗面を形成する２面に接触させて移動させる２枚のガイドプレートを対向して有する隅肉溶接部対応型スプレーガイドに構成され、
前記ガイドプレートは、前記塗料噴射ノズルから噴射される塗料が接しない広がり角度に設定されるとともに、前記被塗面に当接する移動方向の角部が曲面状に形成されている請求項１に記載のストライプコート塗装装置。
【請求項３】
前記スプレーガイドは、エッジ部における被塗面を形成する２面に接触させて移動させる２枚のガイドプレートを対向して有するエッジ部対応型スプレーガイドに構成され、
前記ガイドプレートは、前記塗料噴射ノズルから噴射される塗料が接しない広がり角度に設定されるとともに、先端部分の中央部に前記被塗面に当接する凹状の進行方向ガイド部が形成されている請求項１に記載のストライプコート塗装装置。
【請求項４】
前記塗料噴射ノズルは、該塗料噴射ノズルの塗料噴射角度を変更可能な可変機構を備えている請求項２又は３に記載のストライプコート塗装装置。
【請求項５】
前記塗料ポンプは、低圧のエアレスポンプで構成され、
前記エアレスポンプは、一次圧と二次圧の差から発生する脈動を軽減するレギュレータを備えている請求項１〜４のいずれか１項に記載のストライプコート塗装装置。
【請求項６】
構造物における隅肉溶接部又はエッジ部の被塗面にストライプコート塗装を行うためのストライプコート塗装方法であって、
前記ストライプコート塗装の塗料を所定の圧力で供給し、
前記塗料を噴射する塗料噴射ノズルの塗料噴射方向を被塗面と対向させ、
前記塗料噴射ノズルの先端に設けたスプレーガイドの対向する２枚のガイドプレートを、前記隅肉溶接部又はエッジ部の被塗面を形成する２面に接触させて移動させることによって、前記塗料噴射ノズルのノズル先端部と前記被塗面との距離を一定に保ちながら、前記塗料噴射ノズルから噴射する塗料をスプレーガイドの広がりに沿って塗装することを特徴とするストライプコート塗装方法。
【請求項７】
前記塗料噴射ノズルの被塗面に対する塗料噴射角度を変更して塗装するようにした請求項６に記載のストライプコート塗装方法。
【発明の詳細な説明】
【技術分野】
【０００１】
本発明は、船舶等の構造物における部材のエッジ部及び溶接部の各ストライプコート部にストライプコート塗装を行うための塗装装置及び塗装方法に関する。
【背景技術】
【０００２】
従来、バルクキャリア等の船舶の構造物においては、溶接部分や部材のエッジ部等における塗膜厚さ確保等のためにストライプコート塗装が行われている。このストライプコート塗装によって、溶接部分や部材のエッジ部等における塗膜厚さを確保し、錆等の発生を抑止している（この明細書及び特許請求の範囲の書類中における「ストライプコート（Stripe Coating）塗装」は、船体を構成する板材のエッジ部及び溶接部における縞状に延びる塗装をいう）。ストライプコート塗装は、船体の広い平面部等のような機械的な全面塗装ができる部分ではなく、機械的な塗装が難しいエッジ部及び溶接部等に行うものであるため、多くは作業者による刷毛塗り作業によって行われている。
【０００３】
一方、船舶においては、２００８年から国際海事機関（International Maritime Organization：IMO）において、バラストタンク及びバルクキャリア二重底部に対する塗装基準（Performance Standard for Protective Coatings：PSPC）の適用が採択されている。この塗装基準によれば、上記ストライプコート塗装の適用部位が、各溶接部、ビルトアップロンジ、スニップ、スティフナ、ブラケット、エアホール、マンホール、スロット、カラープレートのエッジ部等（この明細書及び特許請求の範囲の書類中では、これらストライプコート塗装を適用する部分を総称して「ストライプコート部」という）に定められている。しかも、全面塗装とストライプコート塗装は、各２回塗りが定められている。
【０００４】
図６は、船舶を例にした船底部分におけるストライプコート部を示す図面である。上記塗装基準によれば、ストライプコート塗装Ｓは、船底に設けられたビルトアップロンジ１００の隅肉溶接部１０１や、フェイスプレート１０２のエッジ部１０３、隔壁１０４等の隅肉溶接部１０１やエッジ部１０５等、多くの部分に施す必要がある。
【０００５】
しかも、図７に示すように、このストライプコート塗装Ｓは、ロンジ１００の上端に設けられたフェイスプレート１０２の裏側における隅肉溶接部１０６や、フェイスプレート１０２の下側エッジ部１０７等、非常に作業性が悪い部分にも施す必要がある。
【０００６】
しかし、上記したようにストライプコート塗装は作業者の刷毛塗り作業による手作業であるため、上記ストライプコート塗装適用範囲の拡大によって大幅な工数増加を伴い、大幅な作業時間の増加と多大な労力を生じている。例えば、船長が２９０ｍ程度のバルクキャリアの場合、ストライプコート塗装が必要な距離が４０〜５０ｋｍ程度になる場合もある。しかも、全面塗装及びストライプコート塗装を交互に各２回塗りするので、その塗装作業に非常に多くの時間と労力を要する。
【０００７】
また、刷毛塗りの場合には塗りむらを生じやすく、適正な膜厚確保が難しい。そのため、適正な塗膜品質を確保するために時間と労力を要する。
【０００８】
そこで、新しい塗装基準を適用する船舶の建造において塗装基準を満足する安定した品質で、上記ストライプコート塗装の作業が迅速に行える発明が提案されている。
【０００９】
例えば、手作業による刷毛塗り塗装を行う装置において、刷毛部に圧送塗料が満遍なく行き渡り、むらのない塗装をすることができるようにしたものがある（例えば、特許文献１参照）。
【先行技術文献】
【特許文献】
【００１０】
【特許文献１】特開２０１１−４１８９１号公報
【発明の概要】
【発明が解決しようとする課題】
【００１１】
しかしながら、上記したような刷毛塗り作業によるストライプコート塗装は、例え上記特許文献１に記載された発明を用いたとしても、作業者による塗装スピードの大幅な増加は難しく、適用範囲が非常に広範囲に及ぶストライプコート塗装の大幅な作業時間短縮は難しく、作業時間と労力の削減は難しい。
【００１２】
しかも、刷毛塗りの場合には、作業者の熟練度によって均一な塗膜厚さ（例えば、１回あたりの最適ストライプコート塗膜厚さ１００〜１５０μｍ程度）を得ることが難しいため、仕上がり状態によっては上記したようにストライプコート塗装の品質が不安定になる。そのため、就航後に健全な塗膜を維持することが困難になるおそれや、早期発錆が生じるおそれがある。
【００１３】
その上、上記特許文献１に記載された発明は、作業者の手作業による操作で塗布する塗料の量を調整するため、塗りむらや塗料だれ等を生じ、安定した塗膜品質を得るには高い熟練度が必要となる。特に、上記図７に示すようなフェイスプレート１０２の裏側にストライプコート塗装を行う場合、塗料のたれを生じないように塗るには、塗料の供給量と刷毛の送り量調整とを作業者が経験に基づいて調整しながら塗る、非常に難しい作業で、安定した塗膜品質を得るには非常に高い熟練度が必要となる。
【００１４】
しかし、近年、刷毛塗りによって均一な塗膜厚さでストライプコート塗装を行える熟練作業者が大幅に減少しており、適正な塗膜品質を確保したストライプコート塗装を効率良く行うことが非常に難しくなっている。
【００１５】
そこで、本発明は、刷毛塗りに替わり、ストライプコート塗装を効率的に行えるストライプコート塗装装置を提供することを目的とする。
【課題を解決するための手段】
【００１６】
上記目的を達成するために、本発明のストライプコート塗装装置は、構造物における各溶接部又はエッジ部の被塗面にストライプコート塗装を行うためのストライプコート塗装装置であって、前記ストライプコート塗装の塗料を所定の圧力で供給する塗料ポンプと、前記塗料ポンプから供給する塗料の噴射を制御するガン部と、前記ガン部の操作で塗料を噴射する塗料噴射ノズルとを備え、前記塗料噴射ノズルは、ストライプコート部の被塗面とノズル先端部との距離を一定に保つとともに、該塗料噴射ノズルの塗料噴射方向を挟んで対向し、該塗料噴射ノズルから噴射する塗料の広がりに沿って広がるスプレーガイドを有していることを特徴とする。この構成により、スプレーガイドの先端を、ストライプコート塗装を行う被塗面に接した状態で塗装進行方向に移動させながらストライプコート塗装を行うことで、塗料噴射ノズルとストライプコート部の被塗面との距離を保って均一な塗膜厚さを得ることができるとともに、スプレーガイドによって塗料の飛散を抑止することができるので、適正な塗膜品質を確保したストライプコート塗装を効率良く行うことができる。
【００１７】
また、前記スプレーガイドは、隅肉溶接部における被塗面を形成する２面に沿って移動させる２枚の隅肉溶接部対応型スプレーガイドを備え、前記隅肉溶接部対応型スプレーガイドは、被塗面に当接する移動方向角部を曲面状に形成していてもよい。このように構成すれば、隅肉溶接部に沿って隅肉溶接部対応型スプレーガイドを移動させながらストライプコート塗装を行うことにより、曲面状の角部で被塗面を傷付けることなく塗膜品質を確保したストライプコート塗装を効率良く行うことができる。
【００１８】
また、前記スプレーガイドは、エッジ部における被塗面を形成する２面に沿って移動させる２枚のエッジ部対応型スプレーガイドを備え、前記エッジ部対応型スプレーガイドは、被塗面に当接する凹状の進行方向ガイド部を形成していてもよい。このように構成すれば、ビルトアップロンジやスティフナ等のエッジ部に沿ってエッジ部対応型スプレーガイドを進行方向に移動させながらストライプコート塗装を行うことにより、塗膜品質を確保したストライプコート塗装を効率良く行うことができる。
【００１９】
また、前記塗料噴射ノズルは、該塗料噴射ノズルの塗料噴射角度を変更可能な可変機構を備えていてもよい。このように構成すれば、塗料噴射ノズルから噴射する塗料の角度をストライプコート塗装を行う種々の部位における被塗面に適した角度に調整し、スプレーガイドで被塗面との距離を保って塗装することができる。これにより、種々のストライプコート部において適正な塗膜品質を確保したストライプコート塗装を効率良く行うことができる。例えば、上向きのストライプコート塗装であっても、効率良く行うことができる。
【００２０】
また、前記塗料ポンプは、低圧のエアレスポンプで構成され、前記エアレスポンプは、一次圧と二次圧の差から発生する脈動を軽減するレギュレータを備えていてもよい。このように構成すれば、造船業界一般のポンプと比べて低圧のエアレスポンプにより、塗料ポンプにおいて発生する脈動を抑えた低圧の塗料を塗料噴射ノズルに供給し、塗料噴射ノズルから噴射される塗料によるストライプコート塗装の幅を一定に保ち、更にスプレーガイドから飛散するダストを軽減して、スプレーガイドに沿うように噴射した塗料で塗膜品質を確保したストライプコート塗装を行うことができる。
【００２１】
一方、本発明のストライプコート塗装方法は、構造物における各溶接部又はエッジ部の被塗面にストライプコート塗装を行うためのストライプコート塗装方法であって、前記ストライプコート塗装の塗料を所定の圧力で供給し、前記塗料を噴射する塗料噴射ノズルの塗料噴射方向を被塗面と対向させ、前記塗料噴射ノズルの先端に設けたスプレーガイドによって、前記塗料噴射ノズルのノズル先端部とストライプコート部の被塗面との距離を一定に保ちながら、前記塗料噴射ノズルから噴射する塗料をスプレーガイドの広がりに沿って塗装することを特徴とする。この構成により、スプレーガイドの先端を、ストライプコート塗装を行う被塗面に接した状態で塗装進行方向に移動させながらストライプコート塗装を行うことで、塗料噴射ノズルとストライプコート部の被塗面との距離を保って均一な塗膜厚さを得ることができるとともに、スプレーガイドによって塗料の飛散を抑止することができるので、適正な塗膜品質を確保したストライプコート塗装を効率良く行うことができる。
【００２２】
また、前記スプレーガイドを、隅肉溶接部又はエッジ部の被塗面を形成する２面に沿って移動させながら塗装するようにしてもよい。このように構成すれば、隅肉溶接部又はエッジ部に沿ってスプレーガイドを移動させながらストライプコート塗装を行うことにより、塗膜品質を確保したストライプコート塗装を効率良く行うことができる。
【００２３】
また、前記塗料噴射ノズルの被塗面に対する塗料噴射角度を変更して塗装するようにしてもよい。このように構成すれば、塗料噴射ノズルから噴射する塗料の角度をストライプコート塗装を行う種々の部位における被塗面に適した角度に調整し、スプレーガイドで被塗面との距離を保って塗装することができる。これにより、種々のストライプコート部において適正な塗膜品質を確保したストライプコート塗装を効率良く行うことができる。例えば、上向きのストライプコート塗装であっても、効率良く行うことができる。
【発明の効果】
【００２４】
本発明によれば、被塗面と塗料噴射ノズルとの距離を常に一定にすることで均一な塗膜厚さで塗膜品質を確保でき、ストライプコート塗装を効率的に行って大幅な工数削減による作業効率の向上と品質向上とを図ることが可能となる。
【図面の簡単な説明】
【００２５】
【図１】本発明の一実施形態に係るストライプコート塗装装置を示す斜視図である。
【図２】図１に示す隅肉溶接部対応型スプレーガイドの図面であり、(a) は正面図、(b) は底面図、(c) は側面図である。
【図３】図１に示す隅肉溶接部対応型スプレーガイドの使用状態を示す斜視図である。
【図４】図２に示す隅肉溶接部対応型スプレーガイドと交換するエッジ部対応型スプレーガイドの図面であり、(a) は正面図、(b) は底面図、(c) は側面図である。
【図５】図４に示すエッジ部対応型スプレーガイドの使用状態を示す斜視図である。
【図６】船舶の船底部分におけるストライプコート部を示す斜視図である。
【図７】図６に示すVII部を拡大して別角度で示す斜視図である。
【発明を実施するための形態】
【００２６】
以下、本発明の実施形態の一例を図面に基づいて説明する。以下の実施形態では、図１〜３に基づいて隅肉溶接部対応型スプレーガイド３０を備えたストライプコート塗装装置１を説明し、図４，５に基づいて隅肉溶接部対応型スプレーガイド３０と交換するエッジ部対応型スプレーガイド５０を説明する。
【００２７】
図１に示すように、この実施形態のストライプコート塗装装置１は、高圧空気を用いて駆動するピストン式の塗料ポンプ３を有する低圧型エアレス塗装機２を備えている。塗料ポンプ３は、上部に設けられたモイスチャセパレータ４に接続された高圧空気供給ホース５から高圧空気が供給され、この高圧空気がエアーモータ部６に供給されている。
【００２８】
エアーモータ部６の下方には下部ポンプ７が設けられており、エアーモータ部６によって上下動されるロッド８が下部ポンプ７の内部に延びて、下部ポンプ７のピストン９に連結されている。この下部ポンプ７の下端には、塗料タンク１０に設けられた塗料ホース１１が接続されている。
【００２９】
従って、上記エアーモータ部６で下部ポンプ７の内部に延びるロッド８が上下動させられると、このロッド８の下端に設けられたピストン９が下部ポンプ７に内部で上下動させられる。このピストン９の上下動により、上記塗料タンク１０に接続された塗料ホース１１から塗料が吸引される。このように塗料ポンプ３は、エアレスポンプとなっている。
【００３０】
下部ポンプ７の吐出口１２には、レギュレータ１３が設けられており、下部ポンプ７から吐出される塗料はこのレギュレータ１３に吐出される。このレギュレータ１３により、下部ポンプ７のピストン９によって吐出される塗料の脈動が軽減される。レギュレータ１３には吐出ホース１４が設けられており、この吐出ホース１４の先端部にガン部１５が設けられている。図では、長い吐出ホース１４の一部を省略して記載している。
【００３１】
また、上記塗料ポンプ３は、エアーモータ部６のピストン面積に対する下部ポンプ７のピストン面積比を小さくした（例えば、圧力比が、３０：１）、低圧のエアレスポンプとなっている。塗料ポンプ３を低圧エアレスポンプとすることにより、後述するように、塗料噴射ノズル１８から近距離に塗装する場合でも、塗料ダスト（スプレーダスト）が飛散するのを防止できるようにしている。しかも、レギュレータ１３を設けて塗料ポンプ３から吐出する塗料の圧力変化による脈動を抑止することで、上記したように下部ポンプ７のピストン９で吐出される塗料によるストライプコート塗装Ｓの幅を一定に保ち、塗料ダストが飛散するのを抑制し、ストライプコート塗装Ｓが要求される適用エリアへ適正な塗膜品質を確保したストライプコート塗装Ｓを行うことができるようにしている。
【００３２】
このように、この実施形態では、ストライプコート塗装Ｓが要求されるエリアへの塗布を可能にするとともに、塗料ダストの飛散を軽減するために、レギュレータ１３を有する低圧型エアレス塗装機２としている。
【００３３】
一方、上記ガン部１５には、操作レバー１６と、塗料噴射ノズル１８とが設けられている。この例では、操作レバー１６の先端に所定長さの吐出パイプ１７が設けられ、その先端部分に塗料噴射ノズル１８が設けられている。
【００３４】
このガン部１５によれば、操作レバー１６を握ることで、下部ポンプ７からレギュレータ１３及び吐出ホース１４を介して供給されている塗料が塗料噴射ノズル１８から噴射される。そして、上記塗料噴射ノズル１８の塗料噴射方向に、上記隅肉溶接部対応型スプレーガイド３０が設けられている。
【００３５】
図２(a) 〜(c) に示すように、上記隅肉溶接部対応型スプレーガイド３０は、吐出パイプ１７（図１）の先端部に設けられた塗料噴射ノズル１８の支持部１９に取り付ける取付部３１と、この取付部３１から先端方向に延びるガイドプレート３２とを有している。取付部３１は、支持部１９にネジ止め可能となっている。詳細な構造は、図示を省略する。
【００３６】
上記ガイドプレート３２は、塗料噴射ノズル１８から被塗面６１までの距離（この明細書及び特許請求の範囲の書類中における「塗料噴射ノズルから被塗面までの距離」は、塗料噴射ノズル１８からガイドプレート３２の先端までの距離をいう）が、塗料Ｐを霧化させるのに適した距離で、所定範囲にストライプコート塗装Ｓができる長さＬ（例えば、約８０ｍｍ）で形成されている。この塗料噴射ノズル１８から被塗面６１までの距離Ｌ（例えば、約８０ｍｍ）は、隅肉溶接部６０において作業者が手で塗料噴射ノズル１８を移動操作して塗るスピードに応じた距離となっている。
【００３７】
また、上記ガイドプレート３２は、取付部３１から所定角度で広がるように設けられており、２枚のガイドプレート３２が取付部３１の中心部に設けられたノズル用開口部３３を挟んで対称位置に設けられている。つまり、ガイドプレート３２は、塗料噴射ノズル１８の塗料噴射方向を挟んで対向するように設けられている。
【００３８】
図２(c) に示すように、これらのガイドプレート３２の広がり角度は、ノズル用開口部３３の中央部に位置する塗料噴射ノズル１８から噴射される塗料Ｐが接しない角度に設定される。この実施形態の隅肉溶接部対応型スプレーガイド３０は、塗料噴射ノズル１８から噴射される塗料Ｐの広がりに対して一定の隙間を持つような角度に設定されている。この例では、ガイドプレート３２の先端部における開き幅Ｗが約５０ｍｍとなる角度に設定されている。
【００３９】
また、図２(a) に示すように、各ガイドプレート３２は、先端部分の移動方向角部３４が曲面状に形成されている。この実施形態では、各ガイドプレート３２の先端部分全体が曲面状となるように形成されている。この隅肉溶接部対応型スプレーガイド３０は、プラスチック、ステンレス、アルミニウム、スチール等で形成される。さらに、各ガイドプレート３２の先端部分に被塗面６１上を転動するローラ（図示略）を設けて、塗膜のダメージを防止するようにしてもよい。
【００４０】
従って、上記隅肉溶接部対応型スプレーガイド３０を備えたストライプコート塗装装置１によれば、図２(c) に示すように、隅肉溶接部６０の被塗面６１を形成する２つの部材に沿うように隅肉溶接部対応型スプレーガイド３０を移動（この図では、紙面直交方向）させれば、塗料噴射ノズル１８と被塗面６１との距離を一定に保ってストライプコート塗装Ｓを行うことができる。これにより、塗料噴射ノズル１８から所定の低圧で噴射される塗料Ｐによって、隅肉溶接部６０に適正な塗膜品質を確保したストライプコート塗装Ｓを行うことができる。
【００４１】
図３に示すように、上記隅肉溶接部対応型スプレーガイド３０の使用状態としては、上記塗料噴射ノズル１８及び隅肉溶接部対応型スプレーガイド３０が、吐出パイプ１７の先端部に設けられた可変機構２０によって適切な角度で被塗面６１と対向するように傾けられる。可変機構２０は、吐出パイプ１７の先端部に支持部１９が設けられ、この支持部１９に揺動軸２１で軸支されて揺動可能となった機構となっている。この可変機構２０は、隅肉溶接部対応型スプレーガイド３０の広がったガイドプレート３２が設けられた方向に屈曲させることができるようになっている。図示する二点鎖線は、吐出パイプ１７側を揺動させた状態を示している。可変機構２０は、塗料噴射ノズル１８及び隅肉溶接部対応型スプレーガイド３０を傾けた状態で、その角度を保持することができる。
【００４２】
また、このような状態で使用される隅肉溶接部対応型スプレーガイド３０によれば、隅肉溶接部６０を形成する２面の被塗面６１に隅肉溶接部対応型スプレーガイド３０の先端部を沿わせて進行方向Ｖに移動させることにより、塗料噴射ノズル１８と被塗面６１との距離を保って塗料噴射ノズル１８を移動させることができる。なお、隅肉溶接部対応型スプレーガイド３０の一方を被塗面６１の１面に沿わせて移動させる場合でも、塗料噴射ノズル１８と被塗面６１との距離をほぼ保って塗料噴射ノズル１８を移動させることができる。
【００４３】
従って、塗料噴射ノズル１８から噴射させた塗料によって、隅肉溶接部６０の所定範囲に適正な塗膜品質を確保したストライプコート塗装Ｓを行うことができる。
【００４４】
しかも、隅肉溶接部対応型スプレーガイド３０の進行方向Ｖに対して交差する方向（ストライプコート塗装Ｓを行う方向と交差する方向）に２枚のガイドプレート３２が位置した状態でストライプコート塗装Ｓが行われるので、塗料噴射ノズル１８から噴射して霧化した塗料Ｐが周囲に飛散することも軽減することができる。
【００４５】
ところで、上記塗料噴射ノズル１８から噴射される塗料Ｐによる塗膜の品質は、塗料Ｐの吐出圧力と、塗料噴射ノズル１８の口径、被塗面６１までの距離、及び作業者による塗料噴射ノズル１８の移動速度によって異なる。例えば、塗料噴射ノズル１８から被塗面６１までの距離の関係としては、近いと塗膜厚さが厚くなり、その後のクラック発生等を生じさせるおそれがある。遠いと塗膜厚さが薄くなり、その部分の補修作業が必要となる。
【００４６】
このようなことから、上記ストライプコート塗装装置１によるストライプコート塗装Ｓの一例としては、
吐出圧力（２次圧）：４ＭＰａ〜９ＭＰａ、
塗料噴射ノズルの口径：０．３８〜０．４４ｍｍ、
距離（ガイドプレート長さ）：約５０〜１００ｍｍ、
塗料噴射ノズルの移動速度：約０．８〜１．２ｍ／ｓｅｃ、
とし、この条件で塗料噴射ノズル１８と被塗面６１との距離を一定に保ってストライプコート塗装Ｓを行うことにより、適正な塗膜品質を確保したストライプコート塗装Ｓを行うことができる。例えば、上述した船長が２９０ｍ程度のバルクキャリアの場合、刷毛塗りによるストライプコート塗装Ｓでは約１００００時間が必要であったが、上記ストライプコート塗装装置１によれば約５０００時間程度で行うことが可能となり、大幅な作業時間の短縮と労力の軽減が可能となる。しかも、低圧でのストライプコート塗装Ｓであるため、塗料Ｐが他の部分に飛びにくいようにでき、塗料ダストの飛散防止も図れる。
【００４７】
次に、図４(a) 〜(c) に基づいて、エッジ部対応型スプレーガイド５０を説明する。なお、上記ストライプコート塗装装置１の構成には同一符号を付し、その説明は省略する。
【００４８】
図示するように、エッジ部７０にストライプコート塗装Ｓを施すエッジ部対応型スプレーガイド５０にも、吐出パイプ１７（図１）の先端部に設けられた塗料噴射ノズル１８の支持部１９に取り付ける取付部５１と、この取付部５１から先端方向に延びるガイドプレート５２とを有している。取付部５１は、支持部１９にネジ止め可能となっている。詳細な構造は、図示を省略する。
【００４９】
上記ガイドプレート５２は、塗料噴射ノズル１８から被塗面７１までの距離が、塗料を霧化させるのに適した距離で、所定範囲にストライプコート塗装Ｓができる長さＬ（例えば、約３０ｍｍ）で形成されている。この塗料噴射ノズル１８から被塗面７１までの距離Ｌ（ガイドプレート５２の先端までの距離。例えば、約３０ｍｍ）は、エッジ部７０において作業者が手で操作して塗るスピードに応じた距離となっている。
【００５０】
また、上記ガイドプレート５２は、取付部５１から所定角度で広がるように設けられており、２枚のガイドプレート５２が取付部５１の中心部に設けられたノズル用開口部５３に対して対称に設けられている。つまり、ガイドプレート５２は、塗料噴射ノズル１８の塗料噴射方向を挟んで対向するように設けられている。
【００５１】
図４(c) に示すように、これらのガイドプレート５２の広がり角度は、ノズル用開口部５３の中央部に位置する塗料噴射ノズル１８から噴射される塗料Ｐが接しない角度に設定される。この実施形態のエッジ部対応型スプレーガイド５０は、塗料噴射ノズル１８から噴射される塗料Ｐの広がりに対して広い隙間を持つような角度に設定されている。この例では、ガイドプレート５２の先端部における開き幅Ｗが約３０ｍｍとなる角度に設定されている。
【００５２】
また、図４(a) に示すように、各ガイドプレート５２は、取付部５１から先端に向けて広がるように形成され、その先端部分（この例では、先端部分で約３０ｍｍ）の中央部に、エッジ部７０の被塗面７１に沿って移動させる凹状の進行方向ガイド部５４が形成されている。この進行方向ガイド部５４は、ガイドプレート５２の先端部分から約１０ｍｍ入り込むＶ字状に形成されている。しかも、この実施形態では、この進行方向ガイド部５４を、被塗面７１に中央の隆起部５５が接するようなラウンド状にしている。このように、進行方向ガイド部５４に隆起部５５を形成することで、進行方向ガイド部５４の被塗面７１との接触部分を少なくしている。さらに、進行方向ガイド部５４の隆起部５５以外を被塗面７１と接しないように当接部５４の端部を削ることで、全面塗装した被塗面７１の塗膜へのダメージを防止している。
【００５３】
なお、エッジ部７０は、通常、グラインダー等によるエッジ処理によってラウンド形状にしているため、このエッジ部７０に接しないようにする点からも、ラウンド状の隆起部５５で被塗面７１と接するようにしている。このようなエッジ部対応型スプレーガイド５０は、プラスチック、ステンレス、アルミニウム、スチール等で形成される。また、各ガイドプレート５２の先端部分に被塗面７１上を転動するローラ（図示略）を設けて、塗膜のダメージを防止するようにしてもよい。
【００５４】
従って、上記エッジ部対応型スプレーガイド５０によれば、図４(a) に示すように、エッジ部７０の被塗面７１に沿うようにエッジ部対応型スプレーガイド５０を移動させれば、塗料噴射ノズル１８と被塗面７１との距離をガイドプレート５２で一定に保つことができる。これにより、均一な塗膜厚さで適正な塗膜品質を確保したストライプコート塗装Ｓを効率良く行うことができるとともに、ガイドプレート５２によって塗料Ｐの飛散を抑止することができる。
【００５５】
しかも、２つのガイドプレート５２によって被塗面７１との距離を保ってストライプコート塗装Ｓを行う作業が両方向にでき、両方のガイドプレート５２によって被塗面７１との距離を保って両方向にストライプコート塗装作業を効率良く行うことができる。その上、塗料噴射ノズル１８から低圧力で噴射される塗料によって、塗料Ｐの飛散を抑えたストライプコート塗装Ｓを行うことができる。
【００５６】
図５に示すように、上記エッジ部対応型スプレーガイド５０の使用状態としては、上記塗料噴射ノズル１８及びエッジ部対応型スプレーガイド５０が、吐出パイプ１７の先端部に設けられた可変機構２０によって適切な角度で被塗面７１と対向するように傾けられる。可変機構２０は、吐出パイプ１７の先端部に支持部１９が設けられ、この支持部１９に揺動軸２１で軸支されて揺動可能となった機構となっている。この可変機構２０は、エッジ部対応型スプレーガイド５０の進行方向Ｖに向けて屈曲させることができるようになっている。図示する二点鎖線は、吐出パイプ１７側を揺動させた状態を示している。可変機構２０は、塗料噴射ノズル１８及びエッジ部対応型スプレーガイド５０を傾けた状態で、その角度を保持することができる。
【００５７】
また、このような状態で使用されるエッジ部対応型スプレーガイド５０によれば、エッジ部７０を形成する２面の被塗面７１にエッジ部対応型スプレーガイド５０の先端部を沿わせて進行方向Ｖに移動させることにより、塗料噴射ノズル１８と被塗面７１との距離を保って塗料噴射ノズル１８を移動させることができる。なお、エッジ部対応型スプレーガイド５０の一方を被塗面７１の１面に沿わせて移動させる場合でも、塗料噴射ノズル１８と被塗面７１との距離をほぼ保って塗料噴射ノズル１８を移動させることができる。
【００５８】
従って、塗料噴射ノズル１８から噴射させた塗料によって、エッジ部７０の所定範囲に適正な塗膜品質を確保したストライプコート塗装Ｓを行うことができる。
【００５９】
また、進行方向前側のガイドプレート５２は被塗面７１に接触させ、後側のガイドプレート５２を浮かせることで、塗膜へのダメージを防止することができる。
【００６０】
しかも、エッジ部対応型スプレーガイド５０の進行方向Ｖに対して交差する方向（ストライプコート塗装Ｓを行う方向と交差する方向）に２枚のガイドプレート５２が位置した状態でストライプコート塗装Ｓが行われるので、塗料噴射ノズル１８から噴射して霧化した塗料が周囲に飛散することも軽減することができる。
【００６１】
なお、このエッジ部対応型スプレーガイド５０でも、塗料Ｐの吐出圧力と、塗料噴射ノズル１８の口径、被塗面７１までの距離、及び作業者による塗料噴射ノズル１８の移動速度を調整することによって、塗料噴射ノズル１８から噴射される塗料Ｐによる塗膜の品質が一定に保たれる。
【００６２】
以上のように、上記ストライプコート塗装装置１によれば、隅肉溶接部６０におけるストライプコート塗装時には、隅肉溶接部対応型スプレーガイド３０をガン部１５の先端に取り付けて、その隅肉溶接部対応型スプレーガイド３０の先端を被塗面６１に沿って移動させながら塗料を噴射することで、隅肉溶接部６０に対してストライプコート塗装Ｓを効率良く行うことができる。
【００６３】
また、エッジ部７０にストライプコート塗装Ｓを行う時には、隅肉溶接部対応型スプレーガイド３０をエッジ部対応型スプレーガイド５０に交換し、そのエッジ部対応型スプレーガイド５０の進行方向ガイド部５４をエッジ部７０の被塗面７１に沿って移動させながら塗料を噴射することにより、エッジ部７０に対してストライプコート塗装Ｓを効率良く行うことができる。
【００６４】
従って、新しい塗装基準を適用する船舶において、各溶接部、ビルトアップロンジ、フェイスプレート、スティフナ等におけるストライプコート塗装を迅速に行うことが可能となり、大幅な工数削減を図ることが可能となる。
【００６５】
なお、上記実施形態では、矩形状の塗料噴射ノズル１８を例に説明したが、塗料噴射ノズル１８の形状は上記実施形態以外の形状であってもよく、上記実施形態に限定されるものではない。
【００６６】
また、上記隅肉溶接部対応型スプレーガイド３０及びエッジ部対応型スプレーガイド５０において示した寸法は一例であり、各寸法は使用条件等に応じて適した値に設定すればよい。
【００６７】
さらに、上記実施形態では、上部にエアーモータ部を有し、下部に下部ポンプ７を有する塗料ポンプ３を例に説明したが、塗料ポンプ３の構成は上述した実施形態と異なる構成であってもよく、上記実施形態に限定されるものではない。
【００６８】
また、上記実施形態は一例を示しており、本発明の要旨を損なわない範囲での種々の変更は可能であり、本発明は上記実施形態に限定されるものではない。
【産業上の利用可能性】
【００６９】
本発明に係るストライプコート塗装装置は、新しい塗装基準を適用する船舶等の建造において、各溶接部、ビルトアップロンジ、フェイスプレート、スティフナのエッジ部等におけるストライプコート塗装に利用できる。
【符号の説明】
【００７０】
１  ストライプコート塗装装置
２  低圧型エアレス塗装機
３  塗料ポンプ
４  モイスチャセパレータ
５  高圧空気供給ホース
６  エアーモータ部
７  下部ポンプ
８  ロッド
９  ピストン
１０  塗料タンク
１１  塗料ホース
１２  吐出口
１３  レギュレータ
１４  吐出ホース
１５  ガン部
１６  操作レバー
１７  吐出パイプ
１８  塗料噴射ノズル
１９  支持部
２０  可変機構
２１  揺動軸
３０  隅肉溶接部対応型スプレーガイド
３１  取付部
３２  ガイドプレート
３３  ノズル用開口部
５０  エッジ部対応型スプレーガイド
５１  取付部
５２  ガイドプレート
５３  ノズル用開口部
５４  当接部
５５  隆起部
６０  隅肉溶接部
６１  被塗面
７０  エッジ部
７１  被塗面
Ｐ  塗料
Ｓ  ストライプコート塗装
Ｖ  進行方向
【図１】
0005866725.tif 000002
【図２】
0005866725.tif 000003
【図３】
0005866725.tif 000004
【図４】
0005866725.tif 000005
【図５】
0005866725.tif 000006
【図６】
0005866725.tif 000007
【図７】
0005866725.tif 000008